(57)【要約】【課題】出力されているコンテンツの関連情報をそのコンテンツに応じた適切な範囲に送信できるようにする。【解決手段】デジタルサイネージ装置１においては、コンテンツの出力用データ（画像データや音声データ）に対応付けてそのコンテンツに応じたサービスのＩＤ情報や送信強度をコンテンツ記憶部２５２に記憶しておき、制御部２３は、コンテンツの出力中に、出力されているコンテンツに応じたＩＤ情報や送信強度をコンテンツ記憶部２５２から読み出して、読み出したＩＤ情報や送信強度を含むＨＣＩコマンドを第２通信部３１に設定する。第２通信部３１は、設定された送信強度で設定されたＩＤ情報を含む発信情報をブロードキャストする。【選択図】図６
2017058896.tif 000002
【特許請求の範囲】
【請求項１】
コンテンツを出力する出力手段と、
前記コンテンツの関連情報をブロードキャストする送信手段と、
前記出力手段により出力されているコンテンツに応じて、前記送信手段により前記コンテンツの関連情報をブロードキャストするときの送信強度を変更する制御手段と、
を備えるコンテンツ出力装置。
【請求項２】
コンテンツを出力するための出力用データに対応付けて前記コンテンツの出力中に前記コンテンツの関連情報をブロードキャストするときの送信強度を記憶する記憶手段を備え、
前記制御手段は、前記出力手段により出力されているコンテンツの出力用データに対応付けて記憶されている送信強度を前記記憶手段から取得して前記送信手段に設定することにより、前記送信手段により前記コンテンツの関連情報をブロードキャストするときの送信強度を変更する請求項１に記載のコンテンツ出力装置。
【請求項３】
コンテンツを出力する工程と、
前記コンテンツの関連情報をブロードキャストする工程と、
出力されているコンテンツに応じて、前記コンテンツの関連情報をブロードキャストするときの送信強度を変更する工程と、
を含む送信強度制御方法。
【請求項４】
コンテンツを出力する出力手段と、前記コンテンツの関連情報をブロードキャストする送信手段と、を備えるコンテンツ出力装置に用いられるコンピュータを、
前記出力手段により出力されているコンテンツに応じて、前記送信手段により前記コンテンツの関連情報をブロードキャストするときの送信強度を変更する制御手段、
として機能させるためのプログラム。
【発明の詳細な説明】
【技術分野】
【０００１】
本発明は、コンテンツ出力装置、送信強度制御方法及びプログラムに関する。
【背景技術】
【０００２】
従来、コンテンツに登場する人物等の輪郭の形状に形成されたスクリーンにコンテンツを投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の映像出力装置搭載機器においては、映像コンテンツを出力するだけである。そのため、例えば、コンテンツによる広告の対象商品に関するクーポンやその商品のホームページのＵＲＬ（Uniform Resource Locator）の情報等の、出力されているコンテンツの関連情報をコンテンツに応じた適切な範囲にいる顧客に配信することができなかった。
【０００５】
本発明の課題は、出力されているコンテンツの関連情報をそのコンテンツに応じた適切な範囲に送信できるようにすることである。
【課題を解決するための手段】
【０００６】
上記課題を解決するため、請求項１に記載の発明のコンテンツ出力装置は、
コンテンツを出力する出力手段と、
前記コンテンツの関連情報をブロードキャストする送信手段と、
前記出力手段により出力されているコンテンツに応じて、前記送信手段により前記コンテンツの関連情報をブロードキャストするときの送信強度を変更する制御手段と、
を備える。
【発明の効果】
【０００７】
本発明によれば、出力されているコンテンツの関連情報をそのコンテンツに応じた適切な範囲に送信することが可能となる。
【図面の簡単な説明】
【０００８】
【図１】本実施形態におけるサービス提供システムの全体構成を示す図である。
【図２】図１のデジタルサイネージ装置の機能的構成を示すブロック図である。
【図３】図２のスクリーン部の概略構成を示す図である。
【図４】ＨＣＩコマンドの一例を示す図である。
【図５】図１の携帯端末の機能的構成を示すブロック図である。
【図６】図２の制御部により実行されるコンテンツ出力処理を示すフローチャートである。
【図７】コンテンツデータの読み出しを模式的に示す図である。
【発明を実施するための形態】
【０００９】
以下、添付図面を参照して本発明に係る好適な実施形態を詳細に説明する。以下の実施形態では、本発明に係るコンテンツ出力装置としてデジタルサイネージ装置１を適用した場合を例にとり説明する。なお、本発明は、図示例に限定されるものではない。
【００１０】
［サービス提供システム１００の構成］
図１は、本発明の実施形態におけるサービス提供システム１００の全体構成を示す図である。サービス提供システム１００は、デジタルサイネージ装置１で出力しているコンテンツに関連するサービスを提供するシステムであり、図１に示すように、デジタルサイネージ装置１、携帯端末４、及びサーバ装置５を備えて構成されている。デジタルサイネージ装置１と携帯端末４は、Bluetooth（登録商標）による近距離無線通信が可能である。
また、デジタルサイネージ装置１とサーバ装置５、携帯端末４とサーバ装置５は、それぞれ無線ＬＡＮ（Local Area Network）、移動体通信網、有線ＬＡＮ、インターネット等を含む通信ネットワークを介して通信接続可能である。
【００１１】
［デジタルサイネージ装置１の構成］
図２は、本実施形態におけるデジタルサイネージ装置１の主制御構成を示すブロック図である。図３は、図２のスクリーン部２２の概略構成を示す正面図である。デジタルサイネージ装置１は、例えば、店舗等に設置され、顧客に対して商品説明等のコンテンツを出力する装置である。
【００１２】
図２に示すように、デジタルサイネージ装置１は、コンテンツの映像光を照射する投影部２１と、投影部２１から照射された映像光を背面で受けて前面に投影するスクリーン部２２とを備えている。
【００１３】
まず、投影部２１について説明する。
投影部２１は、制御部２３と、プロジェクタ２４と、記憶部２５と、第１通信部２６と、を備えている。プロジェクタ２４、記憶部２５、第１通信部２６は、図２に示すように制御部２３に接続されている。
【００１４】
制御部２３は、記憶部２５に記憶されている各種のプログラムを実行して所定の演算や各部の制御を行うＣＰＵ（Central Processing Unit）２３１とプログラム実行時の作業領域となるＲＡＭ（Random Access Memory）２３２とを備えている。制御部２３は、記憶部２５のプログラム記憶部２５１に記憶されているプログラムとの協働により、制御手段として機能する。
【００１５】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
プロジェクタ２４は、画像形成部２７及び音声出力部３３とともに出力手段を構成する。
【００１６】
記憶部２５は、ＨＤＤ（Hard Disk Drive）や不揮発性の半導体メモリ等により構成される。記憶部２５には、図２に示すように、プログラム記憶部２５１、コンテンツ記憶部２５２が設けられている。
【００１７】
プログラム記憶部２５１には、制御部２３で実行されるシステムプログラムや各種処理プログラム、これらのプログラムの実行に必要なデータ等が記憶されている。
【００１８】
コンテンツ記憶部２５２には、デジタルサイネージ装置１で出力されるコンテンツのコンテンツデータが記憶されている。コンテンツデータは、コンテンツ名や再生スケジュールの情報（content's info）、コンテンツを出力するための出力用データである静止画データ（content's image）及び動画データ（content's movie）、コンテンツに応じた発信情報（content's send info）、コンテンツに応じた送信強度（content's tx power）により構成されている（図７参照）。
【００１９】
ここで、コンテンツに応じた発信情報（content's send info）は、コンテンツの出力に応じて第２通信部３１からブロードキャストされる発信情報に含まれるＩＤ情報（UUID、Major、Minor）である。ＩＤ情報は、コンテンツの関連情報であり、具体的には、携帯端末４において受けることのできる、そのコンテンツに関連するサービスを識別するための情報である。
コンテンツに応じた送信強度（content's tx power）は、コンテンツの出力に応じて発信情報をブロードキャストする際の送信電力を示す情報である。
【００２０】
第１通信部２６は、モデム、ルータ、ネットワークカード等により構成され、通信ネットワークを介して外部機器との通信を行う。
【００２１】
次に、スクリーン部２２について説明する。
スクリーン部２２には、図３に示すように、画像形成部２７と、画像形成部２７を支持する台座２８とが備えられている。
【００２２】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。
【００２３】
台座２８には、第２通信部３１と、ボタン式の操作部３２と、音声を出力するスピーカなどの音声出力部３３とが設けられている。
【００２４】
第２通信部３１は、Bluetooth Low Energy（ＢＬＥ）の通信方式により外部機器と近距離無線通信を行う。具体的に、第２通信部３１は、送信手段として、制御部２３により設定されたＨＣＩ（Host Control Interface）コマンドに基づいて、設定された送信強度で設定されたＩＤ情報を含む発信情報をブロードキャストする。
【００２５】
図４に、ＨＣＩコマンドの一例を示す。図４に示すように、ＨＣＩコマンドには、UUID、Major、Minor、送信電力が含まれる。UUID、Major、Minorの３つの識別子は、携帯端末４において受けることのできるサービスを識別するためのＩＤ情報を構成している。第２通信部３１は、このＩＤ情報を含む所定のフォーマットの発信情報を所定時間毎にブロードキャストする。送信電力は、ＨＣＩコマンドに含まれるＩＤ情報をブロードキャストする際の送信電力を示す情報である。第２通信部３１は、設定されたＨＣＩコマンドに含まれる送信電力に応じた送信強度（電波強度）で発信情報をブロードキャストする。
【００２６】
第２通信部３１、操作部３２、音声出力部３３は、図１に示すように制御部２３に接続されている。
【００２７】
［携帯端末４の構成］
図５は、携帯端末４の主制御構成を示すブロック図である。携帯端末４は、顧客が携帯しているスマートフォンや携帯電話機等の端末であり、図５に示すように、制御部４１、記憶部４２、操作部４３、表示部４４、第１通信部４５、第２通信部４６等を備えて構成されている。
【００２８】
制御部４１は、記憶部４２のプログラム記憶部４２１に記憶されている各種のプログラムを実行して所定の演算や各部の制御を行うＣＰＵとプログラム実行時の作業領域となるメモリとを備えている（いずれも図示略）。制御部４１は、記憶部４２のプログラム記憶部４２１に記憶されているアプリケーションプログラムとの協働により、第２通信部４６により受信された発信情報に含まれるＩＤ情報に応じたサービスをユーザに提供する。
【００２９】
記憶部４２は、不揮発性の半導体メモリ等により構成される。記憶部４２には、図５に示すように、プログラム記憶部４２１が設けられている。プログラム記憶部４２１には、制御部４１で実行されるシステムプログラムや処理プログラム、第２通信部４６により受信された発信情報を解釈して発信情報に含まれるＩＤ情報に対応するサービスをユーザに提供するためのアプリケーションプログラム、Ｗｅｂを閲覧するためのＷｅｂブラウザ、これらのプログラムの実行に必要なデータ等が記憶されている。
【００３０】
操作部４３は、各種機能キーを備え、ユーザによる各キーの押下入力を受け付けてその操作情報を制御部４１に出力する。また、操作部４３は、表示部４４の表面を覆うように透明電極を格子状に配置したタッチパネル等を有し、手指やタッチペン等で押下された位置を検出し、その位置情報を操作情報として制御部４１に出力する。  
【００３１】
表示部４４は、ＬＣＤ（Liquid Crystal Display）等により構成され、制御部４１からの表示制御信号に従って、画面上に各種表示を行う。
【００３２】
第１通信部４５は、無線により基地局又はアクセスポイントを介して通信ネットワークに接続し、通信ネットワークに接続された外部機器との通信を行う。
【００３３】
第２通信部４６は、Bluetooth Low Energy（ＢＬＥ）の通信方式により外部機器と無線通信を行う。
【００３４】
［サーバ装置５の構成］
サーバ装置５は、制御部、記憶部、操作部、表示部、通信部等を備えたコンピュータ装置である。サーバ装置５は、携帯端末４からの要求に応じたサービスを提供する。
【００３５】
［サービス提供システム１００の動作］
次に、サービス提供システム１００の動作について説明する。
図６に、デジタルサイネージ装置１において実行されるコンテンツ出力処理のフローチャートを示す。コンテンツ出力処理は、制御部２３とプログラム記憶部２５１に記憶されているプログラムとの協働により実行される。
【００３６】
まず、制御部２３は、コンテンツ記憶部２５２から出力対象のコンテンツのコンテンツデータをＲＡＭ２３２に読み出す（ステップＳ１）。
図７は、ステップＳ１におけるコンテンツデータの読み出しを模式的に示す図である。図７に示すように、ステップＳ１では、出力対象のコンテンツのコンテンツデータがＲＡＭ２３２に読み出される。
【００３７】
次いで、制御部２３は、コンテンツを出力する（ステップＳ２）。
具体的に、制御部２３は、ＲＡＭ２３２に読み出したコンテンツデータのうち、静止画データ（content's image）、動画データ（content's movie）に基づいてプロジェクタ２４により画像形成部２７にコンテンツの画像を投影させる。また、ＲＡＭ２３２に読み出した動画データの音声データに基づいて音声出力部３３によりコンテンツの音声を出力させる。
【００３８】
次いで、制御部２３は、出力されているコンテンツに応じたＨＣＩコマンドを第２通信部３１に設定する（ステップＳ３）。
具体的に、制御部２３は、ＲＡＭ２３２に読み出した発信情報（content's send info）及び送信強度（content's tx power）を取得し、既に第２通信部３１に設定されているＨＣＩコマンドのUUID、Major、Minorを取得した発信情報のUUID、Major、Minorに変更し、送信電力を取得した送信強度に変更する。即ち、出力しているコンテンツに対応するＩＤ情報、送信強度を第２通信部３１に設定する。
【００３９】
第２通信部３１においては、制御部２３により設定されたＨＣＩコマンドに基づいて、所定の発信フォーマットで第２通信部３１により発信情報をブロードキャストする（ステップＳ４）。
【００４０】
次いで、制御部２３は、コンテンツの切り替えが発生したか否かを判断する（ステップＳ５）。ここで、例えば、コンテンツ記憶部２５２には、コンテンツの再生スケジュールが記憶されており、制御部２３は、スケジュールに従って、所定の時刻が到来するとコンテンツを切り替える。
【００４１】
コンテンツの切り替えが発生していないと判断した場合（ステップＳ５；ＮＯ）、制御部２３は、ステップＳ２に戻る。コンテンツの切り替えが発生したと判断した場合（ステップＳ５；ＹＥＳ）、制御部２３は、ステップＳ１に戻り、次に出力対象となるコンテンツのコンテンツデータをコンテンツ記憶部２５２から読み出して、ステップＳ１〜５の処理を実行する。
【００４２】
制御部２３は、デジタルサイネージ装置１の電源がＯＦＦされるまでステップＳ１〜ステップＳ５の処理を繰り返し実行する。
【００４３】
携帯端末４においては、第２通信部４６によりデジタルサイネージ装置１からの発信情報を受信すると、制御部４１は、プログラム記憶部４２１に記憶されているアプリケーションプログラムとの協働により、発信情報に含まれるＩＤ情報を解釈し、ＩＤ情報に対応するサービスを実行する。例えば、受信した発信情報に含まれるＩＤ情報に対応するサービスが出力中の（現在出力されている）コンテンツに係る商品のクーポンの提供である場合、制御部４１は、アプリケーションプログラムとの協働により出力中のコンテンツに係る商品のクーポン情報を生成して表示部４４に表示する。或いは、サーバ装置５にアクセスして出力中のコンテンツに係る商品のクーポン情報を取得する。また、例えば、受信した発信情報に含まれるＩＤ情報に対応するサービスが出力中のコンテンツに係る商品のホームページのＵＲＬへの接続である場合、制御部４１は、ブラウザを起動してＵＲＬに基づいてサーバ装置５にアクセスし、その商品のホームページを表示させる。
【００４４】
このように、デジタルサイネージ装置１においては、コンテンツの出力用データ（画像データや音声データ）に対応付けてそのコンテンツに応じたサービスのＩＤ情報や送信強度をコンテンツ記憶部２５２に記憶しておく。制御部２３は、コンテンツの出力中に、出力されているコンテンツに応じたＩＤ情報や送信強度をコンテンツ記憶部２５２から読み出して、読み出したＩＤ情報や送信強度を含むＨＣＩコマンドを第２通信部３１に設定する。第２通信部３１は、設定された送信強度で設定されたＩＤ情報を含む発信情報をブロードキャストする。
従って、出力されているコンテンツに応じて第２通信部３１でブロードキャストする発信情報や送信強度を動的に変更することができるので、出力されているコンテンツの関連情報をそのコンテンツに応じた適切な範囲に送信することが可能となる。
【００４５】
例えば、コンテンツを視聴している人限定でコンテンツで説明している商品のクーポンを配布したい場合には、送信強度を低くして、コンテンツで説明している商品のクーポンを配布するためのＩＤ情報の送信範囲を制限することができる。また、例えば、新商品のコンテンツを流している場合には、その新商品を広く知ってもらうために、送信強度を強くして、広い範囲の顧客にその新商品のホームページへのアクセスに対応するＩＤ情報を送信することができる。
【００４６】
従来のＢＬＥにより発信情報を出力するビーコンでは、送信強度の変更は専用ツールや専用アプリケーションによる設定変更が必要であり、動的な変更はできなかった。上記コンテンツ出力処理では、出力されているコンテンツに応じて送信強度等が動的に変更できるので、出力されているコンテンツの関連情報をそのコンテンツに応じた適切な範囲に送信することが可能となり、利便性が向上する。
【００４７】
なお、上記実施形態における記述内容は、本発明に係るサービス提供システムの好適な一例であり、これに限定されるものではない。
【００４８】
例えば、上記実施形態においては、出力されているコンテンツに応じて、そのコンテンツの出力中にブロードキャストする発信情報に含まれるＩＤ情報及び送信強度を変更する場合を例にとり説明したが、ＩＤ情報を変更せずに送信強度のみを変更することとしてもよい。例えば、ＩＤ情報がサーバ装置５からサービスを受けることを示すものとし、デジタルサイネージ装置１のコンテンツ再生スケジュールをサーバ装置５の記憶部に記憶しておくようにすれば、発信情報に含まれるＩＤ情報が同じであってもサーバ装置５で出力中のコンテンツを特定することができるので、サーバ装置５により出力中のコンテンツに応じたサービスを提供することができる。例えば、携帯端末４からのアクセスに応じて出力中のコンテンツに対応する商品のクーポン等を携帯端末４に送信することができる。
【００４９】
また、上記実施形態においては、本発明をBluetooth Low Energy（ＢＬＥ）の通信方式によりＩＤ情報を含む発信情報をブロードキャストする場合に適用した例について説明したが、通信方式はこれに限定されない。例えば、本発明は、超音波通信によりＩＤ情報を含む発信情報を示す信号をブロードキャストする場合にも適用することができる。
【００５０】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を備えるコンテンツ再生装置に適用しても同様の効果を奏することができ、この例に限定されない。
【００５１】
その他、サービス提供システムを構成する各装置の細部構成及び細部動作に関しても、発明の趣旨を逸脱することのない範囲で適宜変更可能である。
【００５２】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
コンテンツを出力する出力手段と、
前記コンテンツの関連情報をブロードキャストする送信手段と、
前記出力手段により出力されているコンテンツに応じて、前記送信手段により前記コンテンツの関連情報をブロードキャストするときの送信強度を変更する制御手段と、
を備えるコンテンツ出力装置。
＜請求項２＞
コンテンツを出力するための出力用データに対応付けて前記コンテンツの出力中に前記コンテンツの関連情報をブロードキャストするときの送信強度を記憶する記憶手段を備え、
前記制御手段は、前記出力手段により出力されているコンテンツの出力用データに対応付けて記憶されている送信強度を前記記憶手段から取得して前記送信手段に設定することにより、前記送信手段により前記コンテンツの関連情報をブロードキャストするときの送信強度を変更する請求項１に記載のコンテンツ出力装置。
＜請求項３＞
コンテンツを出力する工程と、
前記コンテンツの関連情報をブロードキャストする工程と、
出力されているコンテンツに応じて、前記コンテンツの関連情報をブロードキャストするときの送信強度を変更する工程と、
を含む送信強度制御方法。
＜請求項４＞
コンテンツを出力する出力手段と、前記コンテンツの関連情報をブロードキャストする送信手段と、を備えるコンテンツ出力装置に用いられるコンピュータを、
前記出力手段により出力されているコンテンツに応じて、前記送信手段により前記コンテンツの関連情報をブロードキャストするときの送信強度を変更する制御手段、
として機能させるためのプログラム。
【符号の説明】
【００５３】
１  デジタルサイネージ装置
２１  投影部
２２  スクリーン部
２３  制御部
２３１  ＣＰＵ
２３２  ＲＡＭ
２４  プロジェクタ
２５  記憶部
２５１  プログラム記憶部
２５２  コンテンツ記憶部
２６  第１通信部
２７  画像形成部
２８  台座
２９  透光板
３１  第２通信部
３２  操作部
３３  音声出力部
４  携帯端末
４１  制御部
４２  記憶部
４２１  プログラム記憶部
４３  操作部
４４  表示部
４５  第１通信部
４６  第２通信部
５  サーバ装置
【図１】
2017058896.tif 000003
【図２】
2017058896.tif 000004
【図３】
2017058896.tif 000005
【図４】
2017058896.tif 000006
【図５】
2017058896.tif 000007
【図６】
2017058896.tif 000008
【図７】
2017058896.tif 000009